(57)【要約】【課題】システムおよび方法は、関心を引く音情報のみを、通常ならば音響的に音から隔離されたユーザに伝搬する。【解決手段】これは、騒々しい環境で作業したり、騒々しい環境を楽しむ人々、および、防音室に居たり、通常ならば重大な音を検出できない人々に特に有益なタスクである。重大な音を自動的に検出することによって、ユーザは、選択された音情報の検出に応答して生成された信号により警報を受けることができる。【選択図】図１
2005304014.tif 000002
【特許請求の範囲】
【請求項１】
開放型環境の音情報を取得することと、
前記音情報を解析して、選択された音情報を検出することと、
前記選択された音情報を音響的に隔離された環境に伝搬することと
を含む音情報を伝搬する方法。
【請求項２】
前記選択された音情報をメモリに記憶することをさらに含む
請求項１記載の方法。
【請求項３】
前記選択された音情報は、予め定められる
請求項１記載の方法。
【請求項４】
前記伝搬することは、前記選択された音信号に対応する聴覚信号を生成することである
請求項１記載の方法。
【請求項５】
前記伝搬することは、前記選択された音信号に対応する視覚信号を生成することである
請求項１記載の方法。
【請求項６】
前記選択された音情報は、防音環境のユーザに伝搬される
請求項１記載の方法。
【請求項７】
前記防音環境は、部屋である
請求項６記載の方法。
【請求項８】
前記防音環境は、車である
請求項６記載の方法。
【請求項９】
前記音響的に隔離された環境は、ヘッドホンによって提供される
請求項１記載の方法。
【請求項１０】
前記選択された音情報は、車のクラクション、サイレン、車の機能不良、泣き声、およびベルから成るグループから選択される
請求項１記載の方法。
【請求項１１】
前記選択された音情報は、所定のアイデンティティーを有する人の発話である
請求項１記載の方法。
【請求項１２】
前記選択された音情報の方向を示すことをさらに含む
請求項１記載の方法。
【請求項１３】
前記方向は、視覚的に示される
請求項１２記載の方法。
【請求項１４】
前記方向は、ステレオシグナルによって聴覚的に示される
請求項１２記載の方法。
【請求項１５】
開放型環境の音情報を取得するように構成されたマイクと、
前記マイクに接続されて、前記音情報を解析して、選択された音情報を検出する手段と、
前記解析する手段に接続されて、前記選択された音情報を音響的に隔離された環境に伝搬する手段と
を備える音情報を伝搬するシステム。
【請求項１６】
前記選択された音情報を保存するように構成されたメモリをさらに備える
請求項１５記載のシステム。
【請求項１７】
前記伝搬する手段は、ラウドスピーカである
請求項１５記載のシステム。
【請求項１８】
前記伝搬する手段は、表示デバイスある
請求項１５記載のシステム。
【請求項１９】
前記伝搬する手段は、ラウドスピーカ及び表示デバイスを含む
請求項１５記載のシステム。
【請求項２０】
前記選択された音情報の方向を示す手段をさらに備える
請求項１５記載のシステム。
【発明の詳細な説明】
【技術分野】
【０００１】
本発明は、包括的には、開放型環境で音情報を検出することに関し、詳細には、開放型環境で取得された、選択された音情報を音響上隔離された環境に伝搬することに関する。
【背景技術】
【０００２】
音響学技術がますます多くの用途を見出すにつれて、現代の音響技術のユーザは、音響環境の制御を増加させてきた。或る人の家であろうが、オフィスであろうが、車であろうが、街頭であろうが、音は、受動的には防音材を使用して抑制することもできるし、能動的には音楽等の好ましい音でかき消すことによって抑制することもできる。この、音からの音響隔離は、高く評価されるものであるが、重要な音情報が我々の耳に達しない場合に非難されることが多い。音は、我々の環境を評価する極めて効率的な手段であり、音から遮断されることは、多くの場合、問題を引き起こす可能性がある。
【発明の開示】
【発明が解決しようとする課題】
【０００３】
この課題を説明するために、２、３の適用例を検討する。今日、運転者は、開放型環境の車外の音が車内の音響上隔離された環境でほとんど感知できないように、良好な防音の快適さ（luxury）およびラジオの音量を上げる機能を享受している。日常的な快適さということに関して言えば、明らかにこれは良いことである。しかしながら、音を隔離することは、運転者が他の車両からの警報音、さらに悪いことには、緊急車両のサイレンを聞くことができない場合に、深刻な危険要因を構成するおそれもある。
【０００４】
さらに、静かなオフィスに居る者は、呼び出されている時、または或る緊急事態が発生した時に気付かないことが多い。歩行者または自転車に乗っている者も、ヘッドホンを通じて音楽を聴いている時に危険な状態にある。
【０００５】
これらは、すべて、誤解または緊急事態が発生し得る場合の適用例である。これらの例における人々が、一定の音が自身の耳に届くことを選択的に可能にする機能を有すると、その人々の状況は、適切に対処するのにより良いものとなる。平易な防音／再現技術を使用すると、すべての外部音が等しく抑制されるので、一定の音が耳に届くことを選択的に可能にする機能は非常に難しいものとなる。
【０００６】
したがって、通常ならば音響的に隔離される聞き手に音を伝搬するシステムおよび方法が必要とされている。
【課題を解決するための手段】
【０００７】
この発明によるシステムは、選択された音情報を実時間で検出し、当該選択された音情報を聞き手に伝搬する。
【０００８】
このシステムは、開放型音響環境を常時監視し、次いで、通常ならば音響的に隔離された聞き手に、関連情報のみを伝達する。この情報は、視覚メッセージもしくは聴覚メッセージまたはその双方の、いずれかの形で伝達することができる。
【発明の効果】
【０００９】
方法およびシステムは、選択された音情報を検出し、その情報を音響的に隔離された環境のユーザに、聴覚信号または視覚信号のいずれかによって伝搬する。
【発明を実施するための最良の形態】
【００１０】
図１は、この発明による選択された音情報を伝搬するシステム１００を示している。例えば部屋または街路といった開放型環境１０１から、音情報１０２がマイク１１０によって取得され、オーディオ信号１０３に変換される。
【００１１】
このオーディオ信号１０３は解析されて（１２０）、メモリ１３５に記憶された１組の選択された音１０４の１つまたは２つ以上のものが検出される（１３０）。選択された音１０４は、事前に定めておくことができる。選択された音は、車のクラクション、サイレン、警報、電話のベル、およびドアのベル、または赤ん坊の泣き声によって生成されるような重要な音、重大な音、または関心を引く音とすることができる。
【００１２】
特定の選択された音が検出された後、信号１０５が生成され（１４０）、開放型環境１０１から、音響的に隔離されたユーザ１に警報が与えられる。例えば、ユーザは、防音室２に居たり、音情報１０２をかき消すヘッドホン３を装着していたりする。いずれの場合も、ユーザは、音響的に隔離された環境にいると言われる。信号１０５は、ラウドスピーカ４またはヘッドホン３を介して元の音情報１０２を聴覚的に生成するもの１５０とすることもできるし、例えば光、ＬＥＤ、またはＬＣＤといった表示デバイス５を介して視覚的に生成するもの１６０とすることもできるし、他の聴覚信号または視覚信号とすることもできる。
【００１３】
適用
車両
この発明は次の適用に適している。現代の車は優れた音隔離能力を提供する。さらに、自動車のオーディオシステムは、車外の開放型環境１０１からの音情報１０２をかき消すのに十分な車内の音を提供することができる。運転者１は、このような音響的に隔離された環境２に取り囲まれて、クラクションやサイレン、さらには車の機能不良に容易に気付かなくなるおそれがある。マイク１１０を車２の外部の開放型環境１０１に配置することによって、システム１００は、近くの車のクラクションや緊急車両のサイレン、さらには車の機能不良を示す音も検出することができる。この選択された音情報が検出されると（１３０）、オーディオシステム４または車のコンソール５の光のいずれかを使用して、信号１０５を生成することができる。
【００１４】
複数のマイクが使用される場合には、音情報１０２の方向を決定することができる。この方向も、信号１０５を介して伝搬することができる。複数のラウドスピーカが使用される場合には、選択された音情報の発信源の方向をステレオオーディオ技法でシミュレーションすることができる。
【００１５】
ヘッドホン
現代のヘッドホンは、音楽を非常に大きく再生することができる。ヘッドホンの中には、雑音を消去して、ユーザの耳に届く外部音量を最小にするものもある。人が、例えば交通量の多い街路で自転車に乗っていたり、交通量の多い交差点を横断していたりするといった開放型環境にいる間、このようなヘッドホンを装着していると、そのユーザは、車の警笛等の選択された音情報が聞こえない場合に危険である。この発明によるシステムは、選択された音のみをシステムのユーザに伝搬することができる。
【００１６】
家庭
大きな家では、別の部屋の赤ん坊の声を聞くことが難しい場合がある。システム１００は、赤ん坊の泣き声を、赤ん坊から音響的に隔離された親に伝搬することができる。同様に、このシステムは、門または扉が開放されていること、ドアベル、外のペット、家庭用電化製品の機能不良等を検出することもできる。発話識別技術を使用すると、所定の同一性を有する人からの発話にのみ応答するようにシステムをプログラムすることもできる。
【００１７】
好ましい実施の形態を例としてこの発明を説明してきたが、この発明の趣旨および範囲内で、他のさまざまな適応および変更を行えることが理解されるべきである。したがって、この発明の真の趣旨および範囲内に入るこのようなすべての変形および変更をカバーすることが、添付した特許請求の範囲の目的である。
【図面の簡単な説明】
【００１８】
【図１】この発明による音情報を選択的に伝搬するシステムおよび方法のブロック図である。
【図１】
2005304014.tif 000003
【外国語明細書】
2005304014.tif 000004
2005304014.tif 000005
2005304014.tif 000006
2005304014.tif 000007
2005304014.tif 000008
2005304014.tif 000009
2005304014.tif 000010
2005304014.tif 000011
2005304014.tif 000012
2005304014.tif 000013
2005304014.tif 000014